(57)【特許請求の範囲】
【請求項１】
所定の強度以上でなる光が照射されることにより情報を記録マークとして記録する光ディスクに対して、サーボ制御用のサーボ光の少なくとも一部を反射させると共に上記光ディスクにおいて上記記録マークが形成されるべきトラックの位置を示す情報が記録された基準部を有する初期化用基準盤が一時的に固定された状態で上記光ディスク及び上記初期化用基準盤を回転させる回転部と、
上記所定の強度以上でなる情報光を出射する情報光源と、
上記サーボ光を出射するサーボ光源と、
上記サーボ光及び上記情報光を集光して照射する対物レンズと、
上記対物レンズを駆動して上記基準部における所望のサーボ位置に対し上記サーボ光を合焦させる対物レンズ駆動部と、
上記情報光の球面収差を調整して上記対物レンズが上記光ディスクに対して近接及び離隔する深さ方向に上記情報光の焦点を上記サーボ光の焦点から任意の距離だけ離隔させる焦点離隔部と、
上記光ディスクにおけるサーボ制御用の記録マークを形成すべきサーボマーク領域に上記情報光を照射するよう上記情報光源及び上記対物レンズ駆動部を制御する制御部と
を有する光ディスクの初期化装置。
【請求項２】
上記光ディスクは、
上記深さ方向に複数の上記記録マークを形成することが想定されており、
上記焦点離隔部は、
上記サーボマーク領域の深さ方向の位置に応じて上記情報光の焦点を移動させる
請求項１に記載の光ディスクの初期化装置。
【請求項３】
上記光ディスクは、
上記初期化用基準盤と重ね合わされた状態で上記光ディスクよりも大きい第１及び第２の板状部材間に挟み込まれると共に、当該第１及び第２の板状部材が互いに近接される方向に加圧されることにより上記初期化用基準盤が一時的に固定される
請求項１に記載の光ディスクの初期化装置。
【請求項４】
上記回転部は、
上記光ディスク及び上記初期化用基準盤を載置する板状のターンテーブルを有し、当該ターンテーブルに対して上記光ディスク及び上記初期化用基準盤を固定させる
請求項１に記載の光ディスクの初期化装置。
【請求項５】
上記回転部は、
上記光ディスクよりも大きなサイズを有する上記ターンテーブルと、上記光ディスクよりも大きなサイズを有する板状の固定テーブルとによって上記光ディスク及び上記初期化用基準盤を挟み込むと共に、上記ターンテーブル及び上記固定テーブルを互いに近接させる方向に加圧することにより、当該ターンテーブルに対して上記光ディスク及び上記初期化用基準盤を固定させる
請求項４に記載の光ディスクの初期化装置。
【請求項６】
上記対物レンズは、
上記ターンテーブルを透過させた上記情報光を上記サーボマーク領域に照射する
請求項１に記載の光ディスクの初期化装置。
【請求項７】
上記ターンテーブルは、
上記光ディスク及び上記初期化用基準盤の中央に形成された孔部に挿入される位置合わせ用の突起を有する
請求項４に記載の光ディスクの初期化装置。
【請求項８】
上記光ディスク及び上記初期化用基準盤は、
上記光ディスク及び上記初期化用基準盤の間に挟まれた接着シートにより固定される
請求項１に記載の光ディスクの初期化装置。
【請求項９】
上記接着シートは、
上記光ディスクにおいて上記サーボマーク領域が形成されない部分に貼り付けられる
請求項８に記載の光ディスクの初期化装置。
【請求項１０】
上記接着シートは、
上記光ディスクのほぼ全面に貼り付けられる
請求項８に記載の光ディスクの初期化装置。
【請求項１１】
上記制御部は、
上記光ディスクにおいて情報が記録されるべき記録領域の全体に亘って間欠的に形成されるサーボマーク領域に対し、上記情報光を照射する
請求項１に記載の光ディスクの初期化装置。
【請求項１２】
上記制御部は、
上記光ディスクにおいて情報が記録されるべき記録領域の内周部分にのみ形成されるサーボマーク領域に上記情報光を照射する
請求項１に記載の光ディスクの初期化装置。
【請求項１３】
所定の強度以上でなる光が照射されることにより情報を記録マークとして記録する光ディスクに対して、サーボ制御用のサーボ光の少なくとも一部を反射させると共に上記光ディスクにおいて上記記録マークが形成されるべきトラックの位置を示す情報が記録された基準部を有する初期化用基準盤を固定する固定ステップと、
上記サーボ光及び上記所定の強度以上でなる情報光を集光する対物レンズを駆動して上記基準部における所望のサーボ位置に対し上記サーボ光を合焦させ、上記情報光の球面収差を調整して上記対物レンズが上記光ディスクに対して近接及び離隔する深さ方向に上記情報光の焦点を上記サーボ光の焦点から任意の距離だけ離隔させることにより、上記光ディスクにおけるサーボ制御用の記録マークを形成すべきサーボマーク領域に当該情報光の焦点を合わせて上記情報光を照射し、当該サーボマーク領域にサーボ制御用の記録マークを形成するサーボ制御用記録マーク形成ステップと、
上記光ディスクから上記初期化用基準盤を分離する分離ステップと
を有する光ディスクの製造方法。
【発明の詳細な説明】
【技術分野】
【０００１】
本発明は光ディスク、光ディスクの初期化装置及び製造方法に関し、例えば１層の記録層に対して厚み方向に複数の記録マークを記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射し、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ:開口数）で与えられ、解像度もこの値に比例することが知られている。例えば、ＢＤ方式では、直径１２０［ｍｍ］の光ディスクにおよそ２５［ＧＢ］のデータを記録することができる。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
ここで、１枚の光ディスクに複数の記録層を設けることを検討する。光ディスクは、図１（Ａ）に示すように、仮に従来のＤＶＤ方式及びＢＤ方式のように反射層や記録層等の種類の異なる材料を積層する構成とした場合、その製造工程が複雑化し製造コストの上昇等を招いてしまう。
【０００７】
そこで光ディスク装置のなかには、光ディスクの一様な記録層内に記録マークの層（以下、これをマーク層と呼ぶ）を複数積層しながら記録することにより大容量化を図ったものが提案されている（例えば、特許文献１参照）。
【０００８】
図１（Ｂ）に示すように、かかる構成の光ディスク装置に対応した光ディスクＤＫは、記録層ＤＫｗ内が一様であり、当該記録層内には位置の目印となり得るものが存在しない。このため光ディスクＤＫには、サーボトラック等が形成された反射層ＤＫｓが別途設けられている。
【０００９】
すなわち光ディスク装置は、反射層ＤＫｓにおいてサーボ光ビームＬＳを照射すべきサーボトラック（以下これを所望サーボトラックＴＲＧと呼ぶ）に所定のサーボ光ビームＬＳを合焦させる。さらに光ディスク装置は、当該サーボ光ビームＬＳと一致した光軸を有する光ビームＬＢを記録層ＤＫｗ内の目標とする位置（以下これを目標マーク位置ＰＧと呼ぶ）に合焦させるようになされている。
【特許文献１】特開２００８−７１４３３公報
【発明の開示】
【発明が解決しようとする課題】
【００１０】
ところでかかる構成の光ディスク装置は、光ビームＬＢ及びサーボ光ビームＬＳを同一の対物レンズから光ディスクＤＫの厚さ方向の異なる位置に照射するため、いずれか一方の光ビームに球面収差を付加する必要がある。このため光ディスク装置は、光ビームＬＢとサーボ光ビームＬＳとの光路を別々に設ける必要があり、構成が複雑になってしまう。
【００１１】
このため反射層ＤＫｓに対してサーボ光ビームＬＳを照射することなく光ビームＬＢを記録層ＤＫｗ内の目標マーク位置ＰＧに照射し得る手法が望まれている。
【００１２】
本発明は以上の点を考慮してなされたもので、反射層に対してサーボ光ビームを照射させることなく情報光ビームを記録層内の目標マーク位置に照射させ得る光ディスクを製造できる光ディスクの初期化装置及び製造方法を提案しようとするものである。
【課題を解決するための手段】
【００１３】
かかる課題を解決するため本発明の光ディスクの初期化装置においては、所定の強度以上でなる光が照射されることにより情報を記録マークとして記録する光ディスクに対して、サーボ制御用のサーボ光の少なくとも一部を反射させると共に光ディスクにおいて記録マークが形成されるべきトラックの位置を示す情報が記録された基準部を有する初期化用基準盤が一時的に固定された状態で光ディスク及び初期化用基準盤を回転させる回転部と、所定の強度以上でなる情報光を出射する情報光源と、サーボ光を出射するサーボ光源と、サーボ光及び情報光を集光して照射する対物レンズと、対物レンズを駆動して基準部における所望のサーボ位置に対しサーボ光を合焦させる対物レンズ駆動部と、情報光の球面収差を調整して対物レンズが光ディスクに対して近接及び離隔する深さ方向に情報光の焦点をサーボ光の焦点から任意の距離だけ離隔させる焦点離隔部と、光ディスクにおけるサーボ制御用の記録マークを形成すべきサーボマーク領域に情報光を照射するよう情報光源及び対物レンズ駆動部を制御する制御部とを設けるようにした。
【００１４】
これにより光ディスクの初期化装置では、光ディスクに対して基準部を基準としてサーボマーク領域にサーボ制御用の記録マークを形成することができ、当該サーボ制御用の記録マークが形成された光ディスクに情報を記録する際には当該サーボ制御用の記録マークを用いてサーボ制御をさせ得る。
【００１５】
また本発明の光ディスクの製造方法においては、所定の強度以上でなる光が照射されることにより情報を記録マークとして記録する光ディスクに対して、サーボ制御用のサーボ光の少なくとも一部を反射させると共に光ディスクにおいて記録マークが形成されるべきトラックの位置を示す情報が記録された基準部を有する初期化用基準盤を固定する固定ステップと、サーボ光及び所定の強度以上でなる情報光を集光する対物レンズを駆動して基準部における所望のサーボ位置に対しサーボ光を合焦させ、情報光の球面収差を調整して対物レンズが光ディスクに対して近接及び離隔する深さ方向に情報光の焦点をサーボ光の焦点から任意の距離だけ離隔させることにより、光ディスクにおけるサーボ制御用の記録マークを形成すべきサーボマーク領域に当該情報光の焦点を合わせて情報光を照射し、当該サーボマーク領域にサーボ制御用の記録マークを形成するサーボ制御用記録マーク形成ステップと、光ディスクから初期化用基準盤を分離する分離ステップとを設けるようにした。
【００１６】
これにより光ディスクの製造方法は、光ディスクに対して基準部を基準としてサーボマーク領域にサーボ制御用の記録マークを形成することができ、当該サーボ制御用の記録マークが形成された光ディスクに情報を記録する際には当該サーボ制御用の記録マークを用いてサーボ制御をさせ得る。
【発明の効果】
【００１９】
本発明によれば、光ディスクに対して基準部を基準としてサーボマーク領域にサーボ制御用の記録マークを形成することができ、当該サーボ制御用の記録マークが形成された光ディスクに情報を記録する際には当該サーボ制御用の記録マークを用いてサーボ制御をさせ得、かくして反射層に対してサーボ光ビームを照射させることなく情報光ビームを記録層内の目標マーク位置に照射させ得る光ディスクを製造できる光ディスクの初期化装置、及び製造方法を実現できる。
【発明を実施するための最良の形態】
【００２０】
以下、図面について、本発明の一実施の形態を詳述する。
【００２１】
（１）第１の実施の形態
（１−１）光ディスクの構成
まず、本発明において光情報記録媒体として用いられる光ディスク１００について説明する。図２（Ａ）及び（Ｂ）に外観図を示すように、光ディスク１００は、全体として従来のＣＤ、ＤＶＤ及びＢＤと同様に直径約１２０［ｍｍ］の円盤状に構成されており、中央部分に直径約１５［ｍｍ］でなる孔部１００Ｈが形成されている。
【００２２】
光ディスク１００は、孔部１００Ｈから外側に向けて中央領域１００Ｃ、記録領域１００Ｗ、及び外縁領域１００Ｄが形成されている。なお光ディスク１００では、中央領域１００Ｃ、記録領域１００Ｗ、外縁領域１００Ｄの外径がそれぞれ約４６［ｍｍ］、約１１７［ｍｍ］、約１２０［ｍｍ］に形成されており、直径約４６［ｍｍ］から約１１７［ｍｍ］までの記録領域１００Ｗにのみ情報が記録されるようになされている。
【００２３】
なお直径約４０［ｍｍ］でなる円上（破線で示す）に、約１［ｍｍ］程度の３つの位置合わせ孔１００Ｅがほぼ等間隔で形成されている（詳しくは後述する）。
【００２４】
また光ディスク１００は、図３に断面図を示すように、情報を記録するための記録層１０１を中心に有しており、基板１０２及び１０３により当該記録層１０１を両面から挟むように構成されている。なお中央領域１００Ｃには、記録層１０１自体が形成されていない。
【００２５】
記録層１０１には、光ビームＬＢが照射されることが想定されている。記録層１０１は、光ビームＬＢが記録処理時に使用される記録用光強度でなる場合には、当該光ビームＬＢが集光されて所定強度以上となった部分（すなわち焦点ＦＩ周辺）に例えば気泡でなる記録マークＲＭを形成する。
【００２６】
さらに記録層１０１は、当該記録層１０１の厚さｔ１が記録マークＲＭの高さＲＭｈよりも充分に大きくなるよう設計されている。このため光ディスク１００は、記録層１０１内における光ビームＬＢの位置が光ディスク１００の厚さ方向に切り換えられながら記録マークＲＭが記録されることにより、図４（Ａ）及び（Ｂ）に示すように複数のマーク記録層Ｙを当該光ディスク１００の厚さ方向に重ねた多層記録を行い得るようになされている。
【００２７】
なおマーク記録層Ｙは、仮想的な層を意味しており、各マーク記録層Ｙの境界が実際に存在するわけではない。また図４（Ａ）では、１ビットの情報を表す記録マークＲＭの有無に応じて情報が記録される場合について示しているが、複数種類の長さを有する記録マークＲＭが形成されるようにしても良い。
【００２８】
この場合、光ディスク１００の記録層１０１内において、光ビームＬＢの焦点ＦＩの第１面１００Ａからの距離（以下、これを深さと呼ぶ）が調整されることにより、記録マークＲＭの深さが変更されることになる。
【００２９】
記録層１０１は、光ビームＬＢが再生処理時に使用される光強度の小さいマーク読出用光強度でなり、焦点ＦＩの位置に記録マークＲＭが記録されている場合には、当該記録マークＲＭの周囲との屈折率の相違により光ビームＬＢを反射させ、当該目標マーク位置に記録されている記録マークＲＭから、反射光ビームＬＢＲを発生するようになされている。
【００３０】
ところで記録層１０１は、一様に形成されており、光ビームＬＢを照射するときの基準となる信号記録層やグルーブ及びランドなどが形成されていない。そこで記録層１０１には、位置制御用のサーボ情報マークＫＳが形成されている。このサーボ情報マークＫＳは、例えば記録マークＲＭと同様の気泡でなる。
【００３１】
記録層１０１は、各マーク記録層Ｙにおいて螺旋状に記録マークＲＭが形成されることにより、螺旋状のトラックＴＲを形成するようになされている。そして記録層１０１は、光ディスク１００が回転されることにより、トラックＴＲにおける目標マーク位置ＰＧに順次光ビームＬＢが照射されるようになされている。なおこのトラックＴＲは、仮想的なトラックを意味しており、各トラックＴＲの境界が実際に存在するわけではない。
【００３２】
図５（Ｂ）に示すようにサーボ情報マークＫＳは、互いに隣接する記録マークＲＭが形成されるべきトラックＴＲのほぼ同一位置に連なるように形成されることにより、光ディスク１００の中心から外周方向へ放射状に伸びるサーボ情報ラインＫＬを形成している。
【００３３】
サーボ情報ラインＫＬは、図５（Ａ）に示すように、互いにほぼ等角度だけ離隔して配置されることにより放射状に１４００本設けられている。またサーボ情報ラインＫＬは、図６に示したように各マーク記録層Ｙにおける同一位置に同数だけ設けられている。
【００３４】
すなわちサーボ情報マークＫＳは、各マーク記録層Ｙにおける各トラックＴＲに、光ディスク１００の半径方向の位置に応じた間隔で点在することになる。サーボ情報マークＫＳは、光ディスク１００の半径方向であるトラッキング方向におけるトラックＴＲの中心近傍、かつ当該光ディスク１００の厚さ方向であるフォーカス方向におけるトラックＴＲの中心（すなわちマーク記録層Ｙの中心）近傍に配置されている。
【００３５】
言い換えると、図６に示すように、光ビームＬＢが照射されるべき照射ラインＴＬに沿って、サーボ情報マークＫＳが形成されたサーボマーク領域Ａｓと記録マークＲＭが形成される記録領域Ａｗとが交互に形成されている。そしてこの照射ラインＴＬを中心として、トラックＴＲが形成されている。
【００３６】
図５（Ｂ）に示したように、サーボマーク領域Ａｓには、光ビームＬＢをトラッキング方向に制御するためのトラッキング用マークＫＳｔと、光ビームＬＢをフォーカス方向に制御するためのフォーカス用マークＫＳｆと、当該サーボマーク領域Ａｓにおけるアドレスを示すアドレス情報マークＫＳａとがサーボ情報マークＫＳとして形成されている。
【００３７】
このトラッキング用マークＫＳｔは、反射光ビームＬＢＲに基づいて光ビームＬＢのトラッキング用マークＫＳｔに対するズレ量を表すトラッキングエラー信号ＳＴＥを生成させると共に、当該フォーカスエラー信号ＳＴＥがゼロになるよう光ビームＬＢのトラッキング方向における当該光ビームＬＢの焦点ＦＩの位置を決定させる。
【００３８】
またフォーカス用マークＫＳｆは、反射光ビームＬＢＲに基づいて光ビームＬＢのフォーカス用マークＫＳｆに対するズレ量を表すフォーカスエラー信号ＳＦＥを生成させると共に、当該フォーカスエラー信号ＳＦＥがゼロになるよう光ビームＬＢの厚さ方向（すなわちフォーカス方向）における当該光ビームＬＢの焦点ＦＩの位置を決定させる。なおフォーカス用マークＫＳｆは、光ビームＬＢをトラッキング用マークＫＴの例えば５倍程度の長さを有しており、反射光ビームＬＢＲの光量を大きくし得るようになされている。
【００３９】
これによりトラッキング用マークＫＳｔ及びフォーカス用マークＫＦは、光ビームＬＢの焦点ＦＩを照射ラインＴＬ上に位置させるよう、当該光ビームＬＢをトラッキング方向及びフォーカス方向に調整させることができる。
【００４０】
そして記録層１０１では、図７に示すように、サーボ情報マークＫＳによって決定された位置に光ビームＬＢを照射するように対物レンズ４０を変位させた後、当該対物レンズ４０のレンズ位置を固定させたまま次のサーボ情報マークＫＳまで記録マークＲＭを形成させる。これにより記録層１０１では、当該記録層１０１の記録領域Ａｗに記録マークＲＭを形成させることができる。
【００４１】
なお記録層１０１は、当該記録層１０１に記録済みの情報を再生する際、当該記録層１０１に既に記録済みの記録マークＲＭによってサーボ制御を実行させるようになされている。
【００４２】
このサーボマーク領域Ａｓは、記録層１０１の内部に形成されているため、例えば光ディスク１００の歪みや面ぶれなどが生じた場合には、当該歪みや面ぶれに応じてサーボマーク領域Ａｓの位置も変化することになる。
【００４３】
換言するとサーボマーク領域Ａｓは、記録マークＲＭが形成されるべきトラックＴＲ内に当該記録マークＲＭが形成される記録領域Ａｗに連接して設けられており、記録領域Ａｗに対して基準となるサーボマーク領域Ａｓが非常に近接している。このため一の基準面を基準に離隔した目標マーク位置を決定する従来の光ディスクと比較して、光ビームＬＢを照射させる際の位置精度を著しく向上させることができる。
【００４４】
また、サーボ情報マークＫＳの存在によってトラックＴＲの位置が決定されるため、例えば光ディスク１００の装填具合などに応じた光ディスク１００の傾きなどにより、トラックＴＲの位置を誤認識させることがない。このため光ディスク１００は、例えば光ディスク１００が再装填された場合であっても、光ビームＬＢを目標トラックＴＲＧに確実に合焦させることが可能となる。
【００４５】
このように光ディスク１００は、情報が記録される場合、サーボ情報マークＫＳによって反射されてなる反射光ビームＬＢＲに基づいて対物レンズ４０のレンズ位置を決定させると共に、対物レンズ４０を当該レンズ位置に固定した状態で記録マークＲＭを形成させる。
【００４６】
これにより光ディスク１００は、光ディスク１００内に形成されたサーボ情報マークＫＳによって焦点ＦＩの位置制御（すなわち対物レンズ４０のサーボ制御）を行わせ得るため、光ディスク１００に反射層ＤＫｓ（図１（Ｂ））を有さなくても、光ビームＬＢを記録層１０１内の目標マーク位置ＰＧに照射させ得るようになされている。
【００４７】
（１−２）初期化処理の原理
上述したように光ディスク１００は、反射層を有しておらず、記録層１０１の目印となるものが存在しない。そこで本発明では、初期化処理として、サーボ情報マークＫＳが形成されていない光ディスク１００（以下、これを未初期化光ディスク１００Ｘと呼ぶ）に対し、一時的に基準部ＳＤｓを有する初期化用基準盤ＳＤを固定してサーボ情報記録マークＫＳの記録を実行するようになされている。
【００４８】
すなわち図８（Ａ）に示すように、未初期化光ディスク１００Ｘに対して初期化用基準盤ＳＤを位置合わせして固定することにより、一体化ディスク１００Ｇを作製する。
【００４９】
続いて図８（Ｂ）に示すように、基準部ＳＤｓに合焦させたサーボ光ビームＬＳの焦点ＦＳを基準として情報光ビームＬＩの焦点ＦＩを変位させることにより、未初期化光ディスク１００Ｘの記録層１０１においてサーボ情報マークＫＳを形成すべき目標位置ＳＧにサーボ情報マークＫＳを形成する。
【００５０】
そして記録層１０１に対するサーボ情報記録マークＫＳの記録を終了すると、一体化ディスク１００Ｇから初期化用基準盤ＳＤを取り除くことにより、サーボ情報記録マークＫＳの記録された光ディスク１００を得ることができる。
【００５１】
（１−３）初期化用基準盤の構成
次に、初期化用基準盤２００の構成について説明する。
【００５２】
図９に外観図を示すように、初期化用基準盤２００は、全体として光ディスク１００（図２）よりもその直径が２０［ｍｍ］程大きく、直径約１４０［ｍｍ］の円盤状に構成されている。また光ディスク１００とは異なり、中央に孔部が形成されていない。
【００５３】
図１０に示すように、初期化用基準盤２００は、中央から外側に向けて中央領域２００Ｃ、サーボ領域２００Ｓ及び外縁領域２００Ｄが形成されている。なお初期化用基準盤２００では、中央領域２００Ｃ、サーボ領域２００Ｓ、外縁領域２００Ｄの外径がそれぞれ約４６［ｍｍ］、約１１７［ｍｍ］、約１４０［ｍｍ］に形成されている。
【００５４】
また初期化用基準盤２００は、図９（Ｂ）に断面図を示すように、基板２０２及び２０３が貼り合わされて構成されている。因みに基板１０２及び１０３の厚さｔ２及びｔ３はいずれも約０．４［ｍｍ］となるようになされている。
【００５５】
基板２０２及び２０３は、例えばポリカーボネイトやガラス等の材料により構成されており、いずれも一面から入射される光をその反対面へ高い透過率で透過させるようになされている。また基板２０２及び２０３は、ある程度の強度を有しており、後述する基準部２０１を保護する役割も担うようになされている。なお基板２０２及び２０３の表面については、無反射コーティングにより不要な反射が防止されるようになされていても良い。
【００５６】
基板２０２及び２０３の境界面には、サーボ領域２００Ｓに対応する領域に基準部２０１が形成されている。
【００５７】
基準部２０１は、誘電体多層膜等でなり、波長４０５［ｎｍ］の青色レーザ光でなる情報用光ビームＬＩを透過させる一方、波長６６０[ｎｍ]の赤色レーザ光でなるサーボ光ビームＬＳを反射する。
【００５８】
また基準部２０１は、トラッキングサーボ用の案内溝を形成しており、具体的には、一般的なＢＤ−Ｒ（Recordable）ディスク等と同様のランド及びグルーブにより螺旋状のサーボトラックを形成している。このサーボトラックには、所定の記録単位ごとに一連の番号でなるアドレスが付されており、情報を記録又は再生するサーボトラックを当該アドレスにより特定し得るようになされている。
【００５９】
なお基準部２０１（すなわち基板２０２と基板２０３との境界面）には、案内溝に代えてピット等が形成され、或いは案内溝とピット等とが組み合わされていても良い。
【００６０】
すなわち初期化用基準盤２００では、光ディスク１００における記録領域１００Ｗに対応して直径約４６［ｍｍ］から約１１７［ｍｍ］までのサーボ領域２００Ｓにのみ基準部２０１が設けられている。なお初期化用基準盤２００では、光ディスク１００と同様に直径約４０［ｍｍ］でなる円上に、光ディスク１００と同様にして約１［ｍｍ］程度の３つの位置合わせ孔２００Ｅがほぼ等間隔で形成されている（詳しくは後述する）。
【００６１】
（１−４）一体化ディスクの作製
本実施の形態においては、光ディスク１００と初期化用基準盤２００とが接着シートによって貼り合わされることにより、一体化ディスク１００Ｇが形成されるようになされている。
【００６２】
具体的に図１１に示すように、まず初期化用基準盤２００の基板２０３側における中央領域２００Ｃ及び外縁領域２００Ｄに対して接着シート２１０（２１０Ａ及び２１０Ｂ）が貼り付けられる。この接着シート２１０は、例えばＰＥＴ（PolyEthylene Terephthalate resin）フィルムの両面に粘着剤が塗布された弱粘着タイプの両面粘着シートでなる。
【００６３】
接着シート２１０Ａは、中心が刳り抜かれたドーナツ状でなり、その外径が外縁領域２００Ｄよりも僅かに小さい約１３８［ｍｍ］、その内径が外縁領域２００Ｄよりも僅かに大きい約１１８［ｍｍ］に形成されている。これにより接着シート２１０Ａは、外縁領域２００Ｄから外側にはみ出さないように貼り付けられ得る。
【００６４】
接着シート２１０Ｂは、円盤状でなり、その外径が約３０［ｍｍ］でなる。これにより接着シート２１０Ｂは、中央領域２００Ｃに形成された位置合わせ孔２００Ｅの位置よりも内側にのみ貼り付けられ、当該位置合わせ孔２００Ｅを塞いでしまわないようになされている。
【００６５】
そして図１２に示すように、位置合わせ用器具（図示しない）における位置合わせ孔１００Ｅ及び２００Ｅに対応する３本の位置合わせ用棒に対して、接着シート２１０が貼り付けられた基板２０３側を上にした状態で、初期化用基準盤２００の位置合わせ孔２００Ｅが挿入される。次いで当該位置合わせ用棒に対して、未初期化光ディスク１００Ｘの位置合わせ孔１００Ｅが挿入される。
【００６６】
このとき初期化用基準盤２００における位置合わせ孔２００Ｅと未初期化光ディスク１００Ｘにおける位置合わせ孔１００Ｅは、初期化用基準盤２００及び未初期化光ディスク１００Ｘにおける直径４０［ｍｍ］の円上にほぼ等間隔で形成されおり、ほぼ同一位置に配置されている。
【００６７】
従って未初期化光ディスク１００Ｘは、その中心点１００Ｍを初期化用基準盤２００の中心点２００Ｍと重ね合わせるようにその位置が重ね合わされ得、記録領域１００Ｗとサーボ領域２００Ｓとを簡易にかつ精度良く重ね合わせることができる。
【００６８】
そして未初期化光ディスク１００Ｘは、位置合わせ孔１００Eが位置合わせ用棒に挿入された状態で初期化用基準盤２００上に貼り付けられた接着シート２１０と密着され、さらに加圧されることにより、図１３に示すように初期化用基準盤２００に固定される。以下、この固定された未初期化光ディスク１００Ｘ及び初期化用基準盤２００を一体化ディスク１００Ｇと呼ぶ。そして一体化ディスク１００Ｇは当該位置合わせ用棒から取り外される。
【００６９】
図１４に示すように、この一体化ディスク１００Ｇは、初期化用基準盤２００における基板２０２側からサーボ光ビームＬＳが照射された場合、基準部２０１によって当該サーボ光ビームＬＳを基板２０２側へ反射する。以下、このとき反射された光ビームをサーボ反射光ビームＬＳｒと呼ぶ。
【００７０】
このサーボ反射光ビームＬＳｒは、初期化装置１（詳しくは後述する）において、基準部２０１上における目標のサーボトラック（以下所望サーボトラックと呼ぶ）に対してサーボ光ビームＬＳの焦点ＦＳを合わせるため、当該サーボ光ビームＬＳを集光する対物レンズＯＬの位置制御（すなわちフォーカス制御及びトラッキング制御）に用いられることが想定されている。
【００７１】
実際上、一体化ディスク１００Ｇでは、記録層１０１にサーボ情報マークＫＳが記録されるとき、位置制御された対物レンズ４０によりサーボ光ビームＬＳが集光され、基準部２０１の所望サーボトラックに合焦される。
【００７２】
さらに一体化ディスク１００Ｇは、同一の対物レンズＯＬを介した情報光ビームＬＩの焦点ＦＩが、記録層１０１内における当該所望サーボトラックの「手前側」に相当し、かつ目標深さとなる位置（以下、これを目標位置ＳＧと呼ぶ）に合焦されるようになされている。
【００７３】
このように光ディスク１００は、サーボ情報マークＫＳが記録される場合、位置制御用のサーボ光ビームＬＳ及び情報記録用の情報光ビームＬＩが用いられることにより、記録層１０１内において焦点ＦＩが照射される位置、すなわち基準部２０１における所望サーボトラックの裏側となり且つ目標深さとなる目標位置ＳＧに、サーボ情報マークＫＳが形成されるようになされている。
【００７４】
（１−５）初期化装置の構成
次に、上述した一体化ディスク１００Ｇに対してサーボ情報マークＫＳを記録する初期化装置１について説明する。
【００７５】
図１５に示すように、初期化装置１は、押付部材７及び８によって一体化ディスク１００Ｇを挟み込んで固定することにより当該初期化装置１に一体化ディスク１００Ｇを装填させるようになされている。
【００７６】
図１６に示すように、押付部材７は、スピンドルモータ５に配設されたモータ軸５Ａの先端に取り付けられており、初期化用基準盤２００における中央領域２００Ｃに押し付けられる。また押付部材８は、回転自在に配置されており、未初期化光ディスク１００Ｘにおける中央領域１００Ｃに押し付けられる。
【００７７】
そして初期化装置１では、スピンドルモータ５の駆動に応じた当該モータ軸５Ａの回転出力に伴って押付部材７を回転させることにより、回転力を一体化ディスク１００Ｇ及び押付部材８に伝達し、一体化ディスク１００Ｇを回転させ得るようになされている。
【００７８】
この初期化装置１は、制御部２（図１５）により全体を統括制御するようになされている。制御部２は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、サーボ情報記録処理などの各種処理を実行するようになされている。
【００７９】
例えば制御部２は、一体化ディスク１００Ｇが装填された状態で、図示しない操作部からサーボ情報記録命令を受け付けると、記録アドレス情報及び駆動命令を生成して駆動制御部３へ供給すると共に、当該記録アドレス情報に基づいてサーボ記録情報を生成し、これを信号処理部４へ供給する。
【００８０】
なお記録アドレス情報は、サーボ情報マークＫＳを記録すべきアドレスを示す情報である。上述したように記録層１０１では、サーボマーク領域Ａｓ及び記録マーク領域Ａｗのうち、サーボマーク領域Ａｓにのみサーボ情報マークＫＳが形成される。このため制御部２は、当該サーボマーク領域Ａｓを表す不連続的な記録アドレス情報を供給することになる。
【００８１】
駆動制御部２は、駆動命令に従い、スピンドルモータ５を駆動制御することにより一体化ディスク１００Ｇを任意の回転速度で回転させると共に、スレッドモータ６を駆動制御することにより、光ピックアップ１０を移動軸６Ａ及び６Ｂに沿って光ディスク１００の径方向（すなわち内周方向又は外周方向）における記録アドレス情報に対応した位置へ移動させる。
【００８２】
信号処理部４は、供給されたサーボ記録情報に対して所定の符号化処理や変調処理等の各種信号処理を施すことにより記録信号を生成し、これを光ピックアップ１０へ供給する。
【００８３】
光ピックアップ１０は、駆動制御部３の制御に基づいてフォーカス制御及びトラッキング制御を行うことにより、記録層１０１における記録アドレス情報により示されるトラックＴＲ（すなわち目標位置ＳＧ）に光ビームの焦点を合わせ、信号処理部４からの記録信号に応じたサーボ情報マークＫＳを記録するようになされている（詳しくは後述する）。
【００８４】
このように初期化装置１は、制御部２によって光ピックアップ１０を制御することにより、記録層１０１における目標位置ＳＧにサーボ記録情報をサーボ情報マークＫＳとして記録するようになされている。
【００８５】
そして一体化ディスク１００Ｇは、初期化装置１から排出されると、サーボ情報マークＫＳの形成された（すなわち初期化された）光ディスク１００から初期化用基準盤２００及び接着シート２１０が剥離されるようになされている。
【００８６】
このように初期化装置１では、未初期化光ディスク１００Ｘに対して初期化用基準盤２００が貼り合わされてなる一体化ディスク１００Ｇが装填されると共に、当該一体化ディスク１００Ｇに対してフォーカス制御及びトラッキング制御を行いながら記録層１０１にサーボ情報マークＫＳを形成するようになされている。
【００８７】
（１−６）光ピックアップの構成
次に、初期化装置１における光ピックアップ１０の構成について説明する。この光ピックアップ１０では、図１７に示すように、サーボ制御のためのサーボ光学系３０と、サーボ情報マークＫＳの形成のための情報光学系５０を有している。
【００８８】
光ピックアップ１０は、レーザダイオード３１から出射したサーボ光としてのサーボ光ビームＬＳ及びレーザダイオード５１から出射した情報光としての情報光ビームＬＩをそれぞれサーボ光学系３０及び情報光学系５０を介して同一の対物レンズ４０へ入射し、一体化ディスク１００Ｇにそれぞれ照射するようになされている。
【００８９】
（１−６−１）サーボ光ビームの光路
図１８に示すように、サーボ光学系３０では、対物レンズ４０を介してサーボ光ビームＬＳを一体化ディスク１００Ｇに照射すると共に、当該一体化ディスク１００Ｇに反射されてなるサーボ反射光ビームＬＳｒをフォトディテクタ４３で受光するようになされている。
【００９０】
すなわちレーザダイオード３１は、波長約６６０[ｎｍ]のＰ偏光でなる赤色レーザ光を出射し得るようになされている。実際上レーザダイオード３１は、制御部２（図１５）の制御に基づいて発散光でなる所定光量のサーボ光ビームＬＳを発射し、コリメータレンズ３３へ入射させる。コリメータレンズ３３は、サーボ光ビームＬＳを発散光から平行光に変換し、偏光ビームスプリッタ３４へ入射させる。
【００９１】
偏光ビームスプリッタ３４は、反射透過面３４Ｓにおいて、光ビームの偏光方向により異なる割合で当該光ビームを反射又は透過するようになされている。この反射透過面３４は、Ｐ偏光の光ビームをほぼ全て透過し、Ｓ偏光の光ビームをほぼ全て反射するようになされている。
【００９２】
そして偏光ビームスプリッタ３４は、Ｐ偏光でなるサーボ光ビームＬＳのほぼ全てを透過させ、１／４波長板３６へ入射させる。
【００９３】
１／４波長板３６は、Ｐ偏光でなるサーボ光ビームＬＳを例えば左円偏光に変換し、ダイクロイックプリズム３７へ入射させる。ダイクロイックプリズム３７は、透過反射面３７Ｓによって光ビームの波長に応じて当該光ビームを反射又は透過させるようになされており、これによりサーボ光ビームＬＳを反射して対物レンズ４０へ入射させる。
【００９４】
対物レンズ４０は、サーボ光ビームＬＳを集光し、一体化ディスク１００Ｇの基準部２０１へ向けて照射する。このときサーボ光ビームＬＳは、図１４に示したように、基板１０２を透過し基準部２０１において反射されて、サーボ光ビームＬＳと反対方向へ向かい、サーボ光ビームＬＳと逆回りの偏光方向でなるサーボ反射光ビームＬＳｒとなる。
【００９５】
この後、サーボ反射光ビームＬＳｒは、対物レンズ４０によって平行光に変換された後、ダイクロイックプリズム３７へ入射される。ダイクロイックプリズム３７は、サーボ反射光ビームＬＳｒを反射し、これを１／４波長板３６へ入射させる。
【００９６】
１／４波長板３６は、右円偏光でなるサーボ反射光ビームＬＳｒをＳ偏光に変換し、偏光ビームスプリッタ３４へ入射させる。偏光ビームスプリッタ３４は、Ｓ偏光でなるサーボ反射光ビームＬＳｒをその偏光方向により反射させ、マルチレンズ４１へ入射させる。
【００９７】
マルチレンズ４１は、サーボ反射光ビームＬＳｒを収束させ、シリンドリカルレンズ４２により非点収差を持たせた上で当該サーボ反射光ビームＬＳｒをフォトディテクタ４３へ照射する。
【００９８】
ところで光ディスク装置２０では、回転する一体化ディスク１００Ｇにおける面ブレ等が発生する可能性があるため、対物レンズ４０に対する所望サーボトラックの相対的な位置が変動する可能性がある。
【００９９】
このため、サーボ光ビームＬＳの焦点ＦＳ（図２）を所望サーボトラックに追従させるには、当該焦点ＦＳを一体化ディスク１００Ｇに対する近接方向又は離隔方向であるフォーカス方向及び一体化ディスク１００Ｇの内周側方向又は外周側方向であるトラッキング方向へ移動させる必要がある。
【０１００】
そこで対物レンズ４０は、２軸アクチュエータ４０Ａにより、フォーカス方向及びトラッキング方向の２軸方向へ駆動され得るようになされている。
【０１０１】
またサーボ光学系３０（図１８）では、対物レンズ４０によりサーボ光ビームＬＳが集光され一体化ディスク１００Ｇの基準部２０１へ照射されるときの合焦状態が、マルチレンズ４１によりサーボ反射光ビームＬＳｒが集光されフォトディテクタ４３に照射されるときの合焦状態に反映されるよう、各種光学部品の光学的位置が調整されている。
【０１０２】
フォトディテクタ４３は、図１９に示すように、サーボ反射光ビームＬＳｒが照射される面上に、格子状に分割された４つの検出領域４３Ａ、４３Ｂ、４３Ｃ及び４３Ｄを有している。因みに矢印ａ１により示される方向（図中の縦方向）は、サーボ光ビームＬＳが基準部２０１（図２）に照射されるときの、サーボトラックの走行方向に対応している。
【０１０３】
フォトディテクタ４３は、検出領域４３Ａ、４３Ｂ、４３Ｃ及び４３Ｄによりサーボ反射光ビームＬＳｒの一部をそれぞれ検出し、このとき検出した光量に応じて検出信号ＳＤＡｓ、ＳＤＢｓ、ＳＤＣｓ及びＳＤＤｓをそれぞれ生成して、これらを信号処理部４（図１５）へ送出する。
【０１０４】
信号処理部４は、いわゆる非点収差法によるフォーカス制御を行うようになされており、次に示す（１）式に従ってフォーカスエラー信号ＳＦＥｓを算出し、これを駆動制御部３へ供給する。
【０１０５】
【数１】
0004538761.tif 000002
【０１０６】
このフォーカスエラー信号ＳＦＥｓは、サーボ光ビームＬＳの焦点ＦＳと一体化ディスク１００Ｇの基準部２０１とのずれ量を表すことになる。
【０１０７】
また信号処理部４は、いわゆるプッシュプル法によるトラッキング制御を行うようになされており、次に示す（２）式に従ってトラッキングエラー信号ＳＴＥｓを算出し、これを駆動制御部３へ供給する。
【０１０８】
【数２】
0004538761.tif 000003
【０１０９】
このトラッキングエラー信号ＳＴＥｓは、焦点ＦＳと一体化ディスク１００Ｇの基準部２０１における所望サーボトラックとのずれ量を表すことになる。
【０１１０】
駆動制御部３は、フォーカスエラー信号ＳＦＥｓを基にフォーカス駆動信号ＳＦＤｓを生成し、当該フォーカス駆動信号ＳＦＤｓを２軸アクチュエータ４０Ａへ供給することにより、サーボ光ビームＬＳが一体化ディスク１００Ｇの基準部２０１に合焦するよう、対物レンズ４０をフィードバック制御（すなわちフォーカス制御）する。
【０１１１】
また駆動制御部３は、トラッキングエラー信号ＳＴＥｓを基にトラッキング駆動信号ＳＴＤｓを生成し、当該トラッキング駆動信号ＳＴＤｒを２軸アクチュエータ４０Ａへ供給することにより、サーボ光ビームＬＳが一体化ディスク１００Ｇの基準部２０１における所望サーボトラックに合焦するよう、対物レンズ４０をフィードバック制御（すなわちトラッキング制御）する。
【０１１２】
このようにサーボ光学系３０は、サーボ光ビームＬＳを一体化ディスク１００Ｇの基準部２０１に照射し、その反射光であるサーボ反射光ビームＬＳｒの受光結果を信号処理部４へ供給するようになされている。これに応じて駆動制御部３は、当該サーボ光ビームＬＳを当該基準部２０１の所望サーボトラックに合焦させるよう、対物レンズ４０のフォーカス制御及びトラッキング制御を行うようになされている。
【０１１３】
（１−６−２）情報光ビームの光路
一方情報光学系５０では、図１７と対応する図２０に示すように、対物レンズ４０を介してレーザダイオード５１から出射した情報光ビームＬＩを一体化ディスク１００Ｇに照射するようになされている。
【０１１４】
すなわちレーザダイオード５１は、波長約４０５[ｎｍ]の青色レーザ光を出射し得るようになされている。実際上レーザダイオード５１は、制御部２（図１５）の制御に基づいて発散光でなる所定光量の情報光ビームＬＩを発射し、コリメータレンズ５２へ入射させる。
【０１１５】
コリメータレンズ５２は、情報光ビームＬＩを発散光から平行光に変換し、球面収差などを補正するＬＣＰ（Liquid Crystal Panel）５６を介して１／４波長板５７へ入射させる。
【０１１６】
１／４波長板５７は、情報光ビームＬＩをＰ偏光から例えば左円偏光に変換してリレーレンズ５８へ入射させる。
【０１１７】
リレーレンズ５８は、可動レンズ５８Ａにより情報光ビームＬＩを平行光から収束光に変換し、収束後に発散光となった当該情報光ビームＬＩの収束又は発散の度合い（以下、これを収束状態と呼ぶ）を固定レンズ５８Ｂにより調整し、ミラー５９へ入射させる。
【０１１８】
ここで可動レンズ５８Ａは、アクチュエータ５８Ａａにより情報光ビームＬＩの光軸方向に移動されるようになされている。実際上、リレーレンズ５８は、駆動制御部３（図１５）の制御に基づきアクチュエータ５８Ａａによって可動レンズ５８Ａを移動させることにより、固定レンズ５８Ｂから出射される情報光ビームＬＩの収束状態を変化させ得るようになされている。
【０１１９】
ミラー５９は、情報光ビームＬＩを反射することにより、円偏光でなる当該情報光ビームＬＩの偏光方向を反転させる（例えば左円偏光から右円偏光へ）と共にその進行方向を偏向させ、ダイクロイックプリズム３７へ入射させる。ダイクロイックプリズム３７は、反射透過面３７Ｓにより当該情報光ビームＬＩを透過させ、これを対物レンズ４０へ入射させる。
【０１２０】
対物レンズ４０は、情報光ビームＬＩを集光し、一体化ディスク１００Ｇへ照射する。このとき情報光ビームＬＩは、図１４に示したように、初期化用基準盤２００を透過し、未初期化光ディスク１００Ｘに入射する。そして情報光ビームＬＩは、未初期化光ディスク１００Ｘの基板１０２を透過し、記録層１０１内に合焦する。
【０１２１】
ここで当該情報光ビームＬＩの焦点ＦＩの位置は、リレーレンズ５８の固定レンズ５８Ｂから出射される際の収束状態により定められることになる。すなわち焦点ＦＩは、可動レンズ５８Ａの位置に応じて記録層１０１内をフォーカス方向に移動することになる。
【０１２２】
実際上、情報光学系５０は、駆動制御部３（図１５）により可動レンズ５８Ａの位置が制御されることにより、一体化ディスク１００Ｇの記録層１０１内における情報光ビームＬＩの焦点ＦＩ（図２）の深さｄ（すなわち基準部２０１からの距離）を調整し、目標位置ＳＧに焦点ＦＩを合致させる。
【０１２３】
そして情報光ビームＬＩは、対物レンズ４０によって焦点ＦＩに集光され、当該焦点ＦＩ近傍にサーボ情報マークＲＭを形成するようになされている。
【０１２４】
なお対物レンズ４０は、一体化ディスク１００Ｇの内部で発生する球面収差を考慮に入れ、当該一体化ディスク１００Ｇに最適化されて設計されている。
【０１２５】
このように情報光学系５０は、サーボ光学系３０によるサーボ制御された対物レンズ４０を介して情報光ビームＬＩを照射することにより、情報光ビームＬＩの焦点ＦＩのトラッキング方向を目標位置ＳＧに合致させる。さらにリレーレンズ５８における可動レンズ５８Ａの位置に応じて当該焦点ＦＩの基準部２０１からの深さｄを調整することにより、焦点ＦＩのフォーカス方向を目標位置ＳＧに合致させるようになされている。
【０１２６】
（１−７）初期化処理の手順
次に、光ディスク１００に対してサーボ情報マークＫＳを形成する初期化処理の手順について、図２１に示すフローチャートを用いて説明する。
【０１２７】
開始ステップにおいて初期化処理が開始されると、ステップＳＰ１に移り、初期化基準盤２００に対して接着シート２１０が貼り付けられ、次のステップＳＰ２へ移る。
【０１２８】
ステップＳＰ２において、未初期化光ディスク１００Ｘと初期化基準盤２００とが例えば所定の治具を用いて位置合わせされ、次のステップＳＰ３へ移る。
【０１２９】
ステップＳＰ３において、未初期化光ディスク１００Ｘと初期化基準盤２００とが接着シート２１０を介して密着されて貼り合わされることにより一体化ディスク１００Ｇが作製されると、次のステップＳＰ４へ移る。
【０１３０】
ステップＳＰ４において、初期化装置１に一体化ディスク１００Ｇが装填されると、次のステップＳＰ５へ移る。
【０１３１】
ステップＳＰ５において、一体化ディスク１００Ｇにおける基準部２０１によって対物レンズ４０のトラッキング制御及びフォーカス制御が実行されながら、記録層１０１に対してサーボ情報マークＫＳが形成されると、次のステップＳＰ６へ移る。
【０１３２】
ステップＳＰ６において、一体化ディスク１００Ｇにおいて初期化用基準盤２００を剥離することにより、サーボ情報マークＫＳの形成された光ディスク１００が分離されると、次のステップＳＰ６へ移って初期化処理を終了する。
【０１３３】
（１−８）動作及び効果
以上の構成において、初期化装置１は、所定の強度以上でなる光である光ビームＬＢが照射されることにより情報を記録マークＲＭとして記録する光ディスクとしての未初期化光ディスク１００Ｘに対して初期化用基準盤２００が一体化ディスク１００Ｇとして一時的に固定された状態でなる一体化ディスク１００Ｇを回転させる。
【０１３４】
この初期化用基準盤２００は、サーボ制御用のサーボ光であるサーボ光ビームＬＳを反射させると共に光ディスク１００において記録マークＲＭが形成されるべきトラックＴＲの位置を示す情報が凹凸でなるサーボトラックとして記録された基準部２０１を有している。
【０１３５】
また初期化装置１は、対物レンズ４０によってサーボ光ビームＬＳ及び情報光ビームＬＩを集光して一体化ディスク１００ＧとしてＬＳビームＬＩに照射する際、対物レンズ４０を駆動して基準部２０１における所望のサーボ位置である所望サーボトラックに対しサーボ光ビームＬＳを合焦させる。
【０１３６】
これにより初期化装置１は、情報光ビームＬＩの焦点ＦＩを所望サーボトラックの手前側に合わせることができ、目標位置ＳＧのトラッキング方向に焦点ＦＩを合わせることができる。
【０１３７】
また初期化装置１は、情報光ビームＬＩの収束状態を調整することにより球面収差を調整して深さ方向（すなわちフォーカス方向）に情報光ビームＬＩの焦点をサーボ光ビームの焦点ＦＳから任意の距離だけ離隔させる。
【０１３８】
これにより初期化装置１は、基準部２０１を基準とした目標深さに焦点ＦＩを位置させることができ、目標位置ＳＧのフォーカス方向に焦点ＦＩを合わせることができる。
【０１３９】
そして初期化装置１は、未初期化光ディスク１００Ｘにおけるサーボ制御用の記録マークであるサーボ情報マークＫＳを形成すべきサーボマーク領域Ａｓに情報光ビームＬＩを照射する。
【０１４０】
これにより初期化装置１は、初期化用基準盤２００における基準部２０１を基準として未初期化光ディスク１００Ｘにおけるサーボマーク領域Ａｓにサーボ情報マークＫＳを記録することができる。
【０１４１】
この結果、サーボ情報マークＫＳが形成されると共に一体化ディスク１００Ｇから初期化用基準盤２００が分離されてなる光ディスク１００では、反射層を有していないにも拘わらず、当該サーボ情報マークＫＳを用いて光ビームＬＢのサーボ制御を実行させることが可能となる。
【０１４２】
また初期化装置１は、未初期化光ディスク１００Ｘにおけるサーボマーク領域Ａｓのフォーカス方向の位置（すなわち目標位置ＳＧ）に応じてリレーレンズ５８の可動レンズ５８Ａａを変位させることにより、情報光ビームＬＩの焦点ＦＩを移動させる。
【０１４３】
これにより初期化装置１は、フォーカス方向に複数の記録マークＲＭが形成されることが想定されている未初期化光ディスク１００Ｘにおける各マーク記録層Ｙに対し、サーボ情報マークＫＳを形成することができる。
【０１４４】
さらに初期化装置１は、光ディスク１００において情報が記録されるべき記録領域１００Ｗの全体に亘って間欠的に形成されるサーボマーク領域Ａｓに対し、情報光ビームＬＩを照射する。これにより初期化装置１は、記録領域１００Ｗの全域に亘って間欠的にサーボマーク領域Ａｓを形成することができる。この結果光ディスク１００に対して情報の記録を実行する光ディスク装置に対し、記録領域１００Ｗの全域において当該サーボ情報マークＫＳを用いて光ビームＬＢの焦点位置を制御させることが可能となる。
【０１４５】
すなわち光ディスク装置は、光ディスク１００を回転させ、光ビームＬＢを集光し記録層１０１に対して照射する際、サーボマーク領域Ａｓからの反射光ビームＬＢＲを基に光ビームＬＢＲを照射位置に合焦させるよう対物レンズＯＬのレンズ位置を変位させる。そして光ディスク装置は、当該レンズ位置を当該変位された位置に固定した状態で記録領域Ａｗに光ビームＬＢを照射することになる。
【０１４６】
これにより光ディスク装置は、記録領域Ａｗに光ビームＬＢを照射する際、サーボマーク領域Ａｓと同一位置に当該光ビームＬＢを照射することができる。ここでサーボマーク領域Ａｓと記録領域Ａｗとは連接しており、照射ラインＴＬも線状に繋がっている。
【０１４７】
従って光ディスク１００の回転に伴ってサーボマーク領域Ａｓの照射ラインＴＬに合焦するように調整された光ビームＬＢの焦点ＦＩは記録領域Ａｗにおける照射ラインＴＬ近傍に合焦することになる。この結果光ディスク装置は、目標トラックＴＲＧにおける記録領域Ａｗに光ビームＬＢを照射して記録マークＲＭを形成することができる。
【０１４８】
また初期化装置１に装填されている一体化ディスク１００Ｇは、未初期化光ディスク１００Ｘ及び初期化用基準盤２００の間に挟まれた接着シート２１０により固定されている。
【０１４９】
これにより一体化ディスク１００Ｇは、未初期化光ディスク１００Ｘ及び初期化用基準盤２００を接着シート２１０により貼り合わせるだけの簡易な作業により作製されることができる。
【０１５０】
さらに一体化ディスク１００Ｇでは、未初期化光ディスク１００Ｘにおいてサーボマーク領域Ａｓが形成されない部分に接着シート２１０が貼り付けられる。これにより一体化ディスク１００Ｇは、情報光ビームＬＩに接着シート２１０を透過させないため、当該接着シート２１０における光学的特性を考慮する必要がなく、当該接着シート２１０の選択の自由度を高めることができる。
【０１５１】
また本発明では、まず未初期化光ディスク１００Ｘに対して初期化用基準盤２００を固定する。次にサーボ光ビームＬＳ及び情報光ビームＬＩを集光する対物レンズ４０を駆動して基準部２０１における所望サーボトラックに対しサーボ光ビームＬＳを合焦させ、情報光ビームＬＩの球面収差を調整してフォーカス方向にサーボ光ビームＬＳの焦点ＦＳから情報光ビームＬＩの焦点を任意の距離だけ離隔させる。これによりサーボマーク領域Ａｓに当該情報光ビームＬＩの焦点ＦＩを合わせて情報光ビームＬＩを照射し、当該サーボマーク領域Ａｓにサーボ情報マークＫＳを形成する。この後、初期化の終了した光ディスク１００から初期化用基準盤２００を分離する。
【０１５２】
これにより未初期化光ディスク１００Ｘとして反射層を有していなくても、当該未初期化光ディスク１００Ｘにサーボ情報マークＫＳを形成することができる。
【０１５３】
さらに初期化用基準盤２００では、光ディスク１００におけるサーボマーク領域Ａｓが形成される記録領域１００Ｗに対応して設けられ、光ディスク１００において記録マークＲＭが形成されるべきトラックＴＲの位置を示す情報が記録されると共に、所定のサーボ光ビームＬＳの少なくとも一部を反射する基準部２０１を有している。
【０１５４】
これにより初期化用基準盤２００では、未初期化光ディスク１００Ｘと一体化されることにより基準部２０１を反射層の代りとして使用させ、サーボ情報マークＫＳを形成させることができる。
【０１５５】
また初期化用基準盤２００では、基準部２０１を有さない領域に位置合わせ用の位置合わせ孔１００Ｅを有している。これにより初期化用基準盤２００では、未初期化光ディスク１００Ｘに同様に形成された位置合わせ孔１００Ｅと共に突起物を貫通させることにより、未初期化光ディスク１００Ｘにおける記録領域１００Ｗと基準部２０１とを簡易な作業で位置合わせをさせることができる。
【０１５６】
以上の構成において、初期化装置１は、反射層を有さない未初期化光ディスク１００Ｘに対して基準部２０１を有する初期化用基準盤２００を一時的に固定された状態で当該基準部２０１を基準にしてサーボ情報マークＫＳを形成するようにした。
【０１５７】
これによりサーボ情報マークＫＳを基にサーボ制御を実行させ得るため、反射層に対してサーボ光ビームを照射させることなく情報光ビームを記録層内の目標マーク位置に照射させ得る光ディスクを製造するための初期化装置を実現することができる。
【０１５８】
（１−９）他の実施の形態
なお上述した第１の実施の形態においては、接着シート２１０が記録領域１００Ｗと対応しない外縁領域１００Ｄ及び中央領域１００Ｃにのみ貼り付けられているようにした場合について述べたが、本発明はこれに限られるものではない。例えば接着シート２１０が未初期化光ディスク１００Ｘのほぼ全面に貼り付けられるようにすることも可能である。
【０１５９】
また上述した第１の実施の形態においては、接着シート２１０が弱粘着の両面粘着シートでなるようにした場合について述べたが、本発明はこれに限らず、例えばホットメルト型の接着シートなど、その他種々の接着シートを用いることが可能である。
【０１６０】
さらに上述した第１の実施の形態においては、初期化用基準盤２００が円盤状でなるようにした場合について述べたが、本発明はこれに限らず、例えば正方形や矩形の板状でなるようにしても良い。
【０１６１】
さらに上述した第１の実施の形態においては、位置合わせ孔１００Ｅ及び２００Ｅに治具を貫通させることにより未初期化光ディスク１００Ｘ及び初期化用基準盤２００を位置合わせするようにした場合について述べたが、本発明はこれに限られるものではない。例えば初期化用基準盤２００が未初期化光ディスク１００Ｘにおいて中央に形成されている孔部１００Ｈに対応する部分に当該孔部１００Ｈとほぼ同一の直径でなる円柱状の位置合わせ用突起を有しており、当該位置合わせ用突起に孔部１００Ｈを嵌め込ませることにより位置合わせを行うようにすることができる。
【０１６２】
さらに上述した第１の実施の形態においては、初期化用基準盤２００における記録領域１００Ｗに対応する部分にのみ基準部２０１が設けられているようにした場合について述べたが、本発明はこれに限らず、例えば初期化用基準盤２００のほぼ全面に設けられているようにしても良い。
【０１６３】
さらに上述した第１の実施の形態においては、基準部２０１がサーボ光ビームＬＳのほぼ全てを反射するようにした場合について述べたが、本発明はこれに限らず、少なくとも一部を反射すればよい。
【０１６４】
さらに上述した第１の実施の形態においては、光ディスク１００に複数層のマーク記録層Ｙが形成されるようにした場合について述べたが、本発明はこれに限らず、１層のみマーク記録層Ｙが形成されるようにしても良い。この場合には、情報光ビームＬＩの焦点ＦＩを必ずしも変位させなくても、サーボ光ビームＬＳの焦点ＦＳから所定の距離だけ離隔さえすれば良い。
【０１６５】
さらに上述した第１の実施の形態においては、情報光ビームＬＩの焦点ＦＩを離隔させる焦点離隔部として可動レンズ５８Ａを用いるようにした場合について述べたが、本発明はこれに限られるものではない。要は情報光ビームＬＩに球面収差を付加する球面収差発生手段であれば良く、例えば情報光ビームＬＩの位相を変化させる回折素子や液晶素子などの位相変調素子やエキスパンダーなどの各種光学素子であっても良い。またこれらの光学素子を可動させるようにしても良い。
【０１６６】
さらに上述した第１の実施の形態においては、サーボマーク領域Ａｓに隣接するトラックＴＲにおける互いに隣接した位置に設けられることにより、光ディスク１００の中心からサーボ情報マークＫＳが連なったサーボ情報ラインＫＬが放射状に形成されているようにした場合について述べたが、本発明はこれに限られるものではない。サーボマーク領域Ａｓは、各トラックＴＲにおいて所定間隔ＨＫで設けられることにより、トラックＴＲに不連続に設けられているようにしても良い。また同心円状のトラックＴＲに沿ってサーボマーク領域Ａｓ及び記録領域Ａｗが交互に形成されるようにしても良い。この場合、初期化用基準盤２００には同心円状のサーボトラックが形成される。
【０１６７】
さらに上述した第１の実施の形態においては、凹凸によってトラックＴＲの半径方向の位置を示す情報としてのサーボトラックが形成されるようにした場合について述べたが、本発明はこれに限らず、例えば平面な反射層における反射率を変化させることによりサーボトラックが形成されるようにしても良い。
【０１６８】
さらに上述した第１の実施の形態においては、サーボ情報マークＫＳとしてトラッキング用マークＫＳｔ、フォーカス用マークＫＳｆ及びアドレス情報マークＫＳａが形成されるようにした場合について述べたが、本発明はこれに限られるものではない。少なくとも対物レンズ４０のトラッキング制御及びフォーカス制御が実行できれば良く、アドレス情報マークＫＳａは必ずしも必要ではない。またトラッキング制御及びフォーカス制御の両方を同時に実行させるためのマークを形成しても良い。
【０１６９】
さらに上述した第１の実施の形態においては、立体的な記録マークとして記録領域Ａｗに気泡でなる記録マークＲＭが形成されるようにした場合について述べたが、本発明はこれに限られるものではない。例えば予めホログラムが記録された記録領域Ａｗに対し、ホログラムが破壊されることにより立体的な記録マークを形成することができる。
【０１７０】
また一の光源から出射された光ビームを２つに分離し、互いに反対方向から照射することにより、立体的な記録マークとしてホログラムを形成することができる。なおこのホログラムを記録マークとして記録する光ディスク装置の構成は、特許文献１に記載されている。
【０１７１】
さらに上述した第１の実施の形態においては、サーボ光ビームＬＳの波長を約６６０［ｎｍ］、情報光ビームＬＩの波長を４０５［ｎｍ］とするようにした場合について述べたが、本発明はこれに限らず、他の任意の波長であっても良い。また同一波長でなるサーボ光ビーム及び情報光ビームＬＩを用いても良い。この場合、例えば同一のレーザダイオードから出射されたレーザ光を２本の光ビームに分離し、それぞれサーボ光ビーム及び情報光ビームＬＩとして用いることができる。
【０１７２】
さらに上述した第１の実施の形態においては、プッシュプル法によるトラッキング制御を行うようにした場合について述べたが、本発明はこれに限らず、例えばＤＰＤ（Differential Phase Detection）法やＤＰＰ（Differential Push Pull）法によるトラッキング制御を行うようにし、あるいは他の種々の手法によりトラッキング制御を行うようにしても良い。
【０１７３】
さらに上述した第１の実施の形態においては、非点収差法によりフォーカスエラー信号ＳＦＥを生成するようにした場合について述べたが、本発明はこれに限らず、例えばスポットサイズ法などその他種々の手法によりフォーカスエラー信号ＳＦＥを生成するようにしても良い。
【０１７４】
さらに上述した第１の実施の形態においては、光ディスク１００に基板１０２及び１０３を設けるようにした場合について述べたが、本発明はこれに限らず、例えば記録層１０１の強度が十分である場合などに、当該基板１０２及び１０３の一方又は両方を省略しても良い。
【０１７５】
さらに上述した第１の実施の形態においては、初期化用基準盤２００に基板２０２及び２０３を設けるようにした場合について述べたが、本発明はこれに限らず、例えば強度が十分である場合などに、当該基板２０２及び２０３の一方を省略しても良い。
【０１７６】
さらに上述した第１の実施の形態においては、回転部としてのスピンドルモータ５と、対物レンズとしての対物レンズ４０と、対物レンズ駆動部としてのアクチュエータ４０Ａと、制御部としての制御部２とによって初期化装置としての初期化装置１を構成する場合について述べたが、本発明はこれに限らず、その他種々の構成でなる回転部と、対物レンズと、対物レンズ駆動部と、制御部とによって本発明の初期化装置を構成するようにしても良い。
【０１７７】
さらに上述した第１の実施の形態においては、基準部としての基準部２０１によって初期化用基準盤としての初期化用基準盤２００を構成する場合について述べたが、本発明はこれに限らず、その他種々の構成でなる基準部によって本発明の初期化用基準盤を構成するようにしても良い。
【０１７８】
（２）第２の実施の形態
図２２〜図２８は第２の実施の形態を示すもので、図１〜２１に示す第１の実施の形態に対応する部分を同一符号で示している。第２の実施の形態では、光ディスク１１０及び初期化用基準盤２１０の固定方法と、サーボマーク領域Ａｓが光ディスク１１０における内周側にのみ形成されている点が第１の実施の形態と異なっている。
【０１７９】
（２−１）光ディスクの構成
図２２に示すように、光ディスク１１０は、第１の実施の形態による光ディスク１００と同様に、一様でなる記録層１１１を基板１１２及び１１３で挟み込んだ構成でなると共に、その中心にチャッキング用の孔部１１０Ｈが形成されている。
【０１８０】
図２２（Ａ）に示すように、光ディスク１１０には、記録層１０１内に形成される各マーク層Ｙにおける内周側の部分（以下、これをリードインエリアＲＡと呼ぶ）に、サーボ情報マークＫＳがあらかじめ形成されるようになされている。
【０１８１】
このサーボ情報マークＫＳは、内周側から数トラックにわたって形成されており、各マーク層Ｙの情報を記録する部分（以下、これをデータエリアと呼ぶ）に初めて記録マークＲＭを記録する際、当該サーボ情報マークＫＳの終端部分に続けて当該記録マークＲＭを記録するためのものである。なおこのリードインエリアＲＡは、トラッキング方向にリードイン幅ｗに亘って形成されている。
【０１８２】
またリードインエリアＲＡでは、第１の実施の形態と同様にサーボ情報マークＫＳが形成されたサーボマーク領域Ａｓと、情報が記録される記録マーク領域Ａｗとが交互に形成されている。
【０１８３】
ここで光ディスク１１０では、リードインエリアＲＡ以外には、サーボ情報マークＫＳが形成されていない。すなわち光ディスク１１０では、上述したリードインエリアＲＡ内部における記録マーク領域Ａｗに加え、リードインエリアＲＡ以外の全ての領域が記録マーク領域Ａｗとして形成されている。
【０１８４】
なおリードインエリアにおける記録マーク領域Ａｗには、ＴＯＣ（Table Of Contents）等の情報が格納されるようになされている。このＴＯＣには、例えば各マーク層Ｙに記録されているデータのアドレス情報や、実際に情報が記録されている末尾のアドレス情報又は次に情報の記録を開始すべきアドレス等が格納されるようになされている。
【０１８５】
また光ディスク１１０は、記録層１１１における一面１１０Ａ側となる第１のマーク層Ｙ１から順次データを記録するようになされている。このため光ディスク１１０における第１のマーク層Ｙ１におけるリードインエリアＲＡには、当該光ディスク１１０にデータを追記する際の記録開始点を表すマーク層番号及びアドレス情報等がＴＯＣに格納されるようになされている。
【０１８６】
（２−２）焦点位置制御の基本原理
次に、かかる光ディスク１１０に対して情報を記録する際の、焦点位置制御の原理について説明する。
【０１８７】
光ディスク１１０では、光ディスク装置ＭＬ（図示しない）から光ビームＬＢが照射されることにより光ディスク１００に情報を記録するようになされている。
【０１８８】
この光ディスク装置ＭＬは、光ディスク１１０に対する対物レンズＯＬの相対的な位置を制御することにより、記録層１０１内の様々な箇所に記録マークＲＭを形成し得るようになされている。
【０１８９】
実際上、光ディスク装置ＭＬは、光ディスク１１０の記録層１１１内に螺旋状のトラックＴＲを形成しながら複数の記録マークＲＭを順次形成するようになされている。このようにして形成された記録マークＲＭは、光ディスク１１０の円板面とほぼ平行な平面状に配置され、当該記録マークＲＭによるマーク層Ｙを形成する。
【０１９０】
さらに光ディスク装置ＭＬは、光ビームＬＢにおける焦点ＦＢの位置を光ディスク１１０の厚さ方向に変化させることにより、記録層１１１内に複数のマーク層Ｙを形成するようになされている。例えば光ディスク装置ＭＬは、光ディスク１１０の一面１１０Ａ側から所定の層間隔ｒごとにマーク層Ｙを順次形成するようになされている。
【０１９１】
かかる構成に加えて光ディスク装置ＭＬは、図２２及び図２３に示すように、対物レンズＯＬにより、目標マーク位置ＰＧを含むマーク層Ｙ（以下、これを目標マーク層ＹＧと呼ぶ）における当該目標マーク位置ＰＧよりも１トラック内周側に形成されているトラックＴＲ（以下、これを参照トラックＴＥと呼ぶ）に対し、光ビームＬＢと異なる参照光ビームＬＥを集光するようになされている。
【０１９２】
因みに光ディスク装置ＭＬは、光ディスク１１０の内周側から記録マークＲＭを螺旋状に順次記録していくため、目標トラックＴＲＧに新たに記録マークＲＭを形成して情報を記録する際、当該目標トラックＴＲＧよりも１トラック内周側には必ず記録マークＲＭが形成されていることになる。このため光ディスク装置ＭＬは、目標マーク位置ＰＧの１トラック内周側のトラックＴＲを参照トラックＴＥとするようになされている。
【０１９３】
参照光ビームＬＥは、参照トラックＴＥを構成する記録マークＲＭにより反射され、参照反射光ビームＬＥｒとなる。光ディスク装置ＭＬは、この参照反射光ビームＬＥｒを検出すると共に、その検出結果を基に参照光ビームＬＥを参照トラックＴＥに合焦させるよう、対物レンズＯＬの位置制御を行う。
【０１９４】
具体的に光ディスク装置ＭＬは、例えば非点収差法に従い対物レンズＯＬを光ディスク１１０に近接又は離隔させる方向であるフォーカス方向に駆動する位置制御と、プッシュプル法に従い当該対物レンズＯＬを光ディスク１１０の半径方向であるトラッキング方向に駆動する位置制御とを行うようになされている。
【０１９５】
また光ディスク装置ＭＬは、対物レンズＯＬへ入射する参照光ビームＬＥ及び光ビームＬＢの光路や発散角等をそれぞれ適宜調整することにより、当該対物レンズＯＬにより当該参照光ビームＬＥを集光する際、その焦点ＦＥを光ビームＬＢの焦点ＦＢよりもちょうど１トラック分内周側に位置させるようになされている。
【０１９６】
すなわち光ディスク１１０の目標マーク層ＹＧでは、図２３に示したように、光ビームＬＢによるビームスポットＰＭが目標トラックＴＲＧ上に形成され、参照光ビームＬＥによるビームスポットＰＥが参照トラックＴＥ上に形成される。
【０１９７】
このため光ディスク装置ＭＬは、既に形成されている参照トラックＴＥに参照光ビームＬＥを合焦させるよう対物レンズＯＬの位置制御を行うことにより、参照トラックＴＥよりも１トラック外周側となる目標トラックＴＲＧ上の目標マーク位置ＰＧに光ビームＬＢを合焦させることができる。
【０１９８】
また光ディスク装置ＭＬは、参照トラックＴＥと目標トラックＴＲＧとの間隔をちょうど１トラックに合わせることができる。このため光ディスク装置ＭＬは、誤って既存のトラックＴＲに上書きする危険性を格段に低減することができ、仮に光ディスク１１０に傾きや反りが生じていたとしても、トラックＴＲ同士の間隔を一定に保ちながら新たなトラックに記録マークＲＭを記録することができる。
【０１９９】
このように光ディスク装置ＭＬは、光ディスク１１０の記録層１０１内に既に形成されている参照トラックＴＥに参照光ビームＬＥを合焦させるよう対物レンズＯＬの位置制御を行うことにより、目標トラックＴＲＧ上の目標マーク位置ＰＧに光ビームＬＢを合焦させ得るようになされている。
【０２００】
（２−３）初期化用基準盤の構成
図２４に外観図を示すように、初期化用基準盤２００は、全体として光ディスク１１０と同様、直径約１２０［ｍｍ］の円盤状に構成されており、その中央部分に直径約１５［ｍｍ］の孔部２２０Ｈを有している。
【０２０１】
初期化用基準盤２２０は、第１の実施の形態と同様、中央から外側に向けて中央領域２２０Ｃ、サーボ領域２２０Ｓ及び外縁領域２２０Ｄが形成されている。また初期化用基準盤２２０では、光ディスク１１０においてサーボマーク領域Ａｓを有するリードインエリアＲＡに対応して、中央領域２２０Ｃの外縁からリードイン幅ｗにのみサーボ領域２２０Ｓが設けられている。
【０２０２】
初期化用基準盤２２０は、基板２２２及び２２３の境界面においてサーボ領域２２０Ｓに対応する領域に基準部２２１が形成されている。
【０２０３】
基準部２２１は、波長４０５［ｎｍ］の青色レーザ光でなる情報用光ビームＬＩ及び波長６６０[ｎｍ]の赤色レーザ光でなるサーボ光ビームＬＳのいずれをも反射するようになされている。また基準部２２１は、第１の実施の形態と同様に螺旋状のサーボトラックが形成されている。
【０２０４】
（２−４）一体化ディスクの作製及び装填
図２５に示すように、初期化装置１Ｘは、スピンドルモータ５に配設されたモータ軸５Ａの先端に初期化用基準盤２２０及び未初期化光ディスク１１０Ｘを載置させるためのターンテーブル１１を有している。
【０２０５】
このターンテーブル１１は、例えばガラスやポリカーボネイトなどで形成され、情報光ビームＬＩ及びサーボ光ビームＬＳを高透過率で透過させるようになされている。ターンテーブル１１は、厚さがほぼ均一な円盤状でなり、ディスク１１０よりも例えば４０［ｍｍ］程度大きく形成されている。このターンテーブル１１は、その外周部分（直径１２０［ｍｍ］よりも外側部分）に当該ターンテーブル１１を貫通する４つの固定孔１１Ａが等間隔で形成されている。
【０２０６】
またターンテーブル１１は、その中心部分にスピンドルモータ５とは反対側に突出する位置合わせ円柱１２を有している。位置合わせ円柱１２は、その外径が約１４．５［ｍｍ］と初期化用基準盤２２０の孔部２２０Ｈ及び未初期化光ディスク１１０Ｘの孔部１１０Ｈの直径１５［ｍｍ］よりも僅かに小さく形成されている。
【０２０７】
初期化装置１Ｘでは、位置合わせ円柱１２に光ディスク１１０の孔部１１０Ｈ及び初期化用基準盤２２０の孔部２２０Ｈが順次挿入され、当該光ディスク１１０及び当該初期化用基準盤２２０を載置させる。これにより初期化装置１Ｘは、未初期化光ディスク１１０Ｘに形成された記録領域１１０Ｗと初期化用基準盤２２０に形成されたサーボ領域２２０Ｓとが重なるように位置合わせさせることができる。
【０２０８】
そして図２６（Ａ）に示すように、初期化装置１Ｘでは、ターンテーブル１１と同様のサイズ及び円盤形状を有する固定テーブル１３がその中央に有する孔部を位置合わせ円柱に挿入することによって位置合わせされ載置される。その後初期化装置１Ｘでは、図２６（Ｂ）に示すように、固定孔１１Ａを介して長ねじ１５Ａ及びナット１５Ｂによってターンテーブル１１及び固定テーブル１３が固定される。
【０２０９】
このとき長ねじ１５Ａ及びナット１５Ｂは、ターンテーブル１１及び固定テーブル１３を近接させる方向に加圧することになる。
【０２１０】
これによりターンテーブル１１及び固定テーブル１３間に挟まれた未初期化光ディスク１１０Ｘ及び初期化用基準盤２２０が互いに密着して固定され、一体化ディスク１１０Ｇが形成されると共に、初期化装置１Ｘに対して一体化ディスク１１０Ｇが装填されるようになされている。
【０２１１】
また長ねじ１５Ａ及びナット１５Ｂは、ターンテーブル１１及び固定テーブル１３に接触しているものの、未初期化光ディスク１１０Ｘ及び初期化用基準盤２２０に接触することがないため、未初期化光ディスク１１０Ｘ及び初期化用基準盤２２０に傷を付けることがないようになされている。
【０２１２】
図２７に示すように、この初期化装置１Ｘでは、ターンテーブル１１を介して一体化ディスク１１０Ｇにサーボ光ビームＬＳ及び情報光ビームＬＩが照射されるようになされている。このため初期化装置１Ｘにおける対物レンズ４０は、ターンテーブル１１を透過して一体化ディスク１１０Ｇに照射されるサーボ光ビームＬＳ及び情報光ビームＬＩに合わせて設計されている。
【０２１３】
一体化ディスク１００Ｇは、未初期化光ディスク１１０Ｘにおける基板１１２側からサーボ光ビームＬＳが照射された場合、未初期化光ディスク１１０Ｘ及び初期化用基準盤２２０の基板２１２を透過させ、基準部２０１によってサーボ反射光ビームＬＳｒを基板１１２側へ反射する。
【０２１４】
一体化ディスク１００Ｇでは、記録層１１１にサーボ情報マークＫＳが記録されるとき、位置制御された対物レンズ４０によりサーボ光ビームＬＳが集光され、基準部２２１の所望サーボトラックに合焦される。
【０２１５】
このとき一体化ディスク１００Ｇでは、光軸をほぼ共有する情報光ビームＬＩが同一の対物レンズ４０を介して照射されることにより、当該情報光ビームＬＩの焦点ＬＩを所望サーボトラックの「手前」側に位置させることができ、目標位置ＳＧのトラッキング方向に焦点ＬＩを合致させることができる。
【０２１６】
さらに一体化ディスク１００Ｇでは、サーボ光ビームＬＳの焦点ＦＳから目標位置ＳＧに応じた深さｄだけ情報光ビームＬＩの焦点ＦＩを離隔させる。これにより一体化ディスク１００Ｇでは、目標位置ＳＧのフォーカス方向に焦点ＦＩを合致させることができる。
【０２１７】
このように光ディスク１００は、サーボ情報マークＫＳが記録される場合、位置制御用のサーボ光ビームＬＳ及び情報記録用の情報光ビームＬＩが用いられることにより、記録層１０１内において焦点ＦＩが照射される位置、すなわち基準部２０１における所望サーボトラックの手前側となり且つ目標深さとなる目標位置ＳＧに、サーボ情報マークＫＳが形成されるようになされている。
【０２１８】
（２−５）初期化処理の手順
次に、光ディスク１１０に対してサーボ情報マークＫＳを形成する初期化処理の手順について、図２８に示すフローチャートを用いて説明する。
【０２１９】
開始ステップにおいて初期化処理が開始されると、ステップＳＰ１１に移り、未初期化光ディスク１１０Ｘの孔部１１０Ｈと初期化基準盤２２０の孔部２２０Ｈとが位置合わせ用円柱１２に順次挿入されることにより、当該光ディスク１１０と初期化用基準盤２２０とが位置合わせされ、次のステップＳＰ１２へ移る。
【０２２０】
ステップＳＰ１２において、初期化用基準盤２２０上に固定テーブル１３が載置されると共に、長ねじ１５Ａ及びナット１５Ｂによってターンテーブル１１及び固定テーブル１３間に挟まれた光ディスク１１０と初期化用基準盤２２０とを加圧して密着させることにより一体化ディスク１１０Ｇが作製されると、次のステップＳＰ１３へ移る。
【０２２１】
ステップＳＰ１３において、一体化ディスク１１０Ｇにおける基準部２２１によって対物レンズ４０のトラッキング制御及びフォーカス制御が実行されながら、記録層１１１に対してサーボ情報マークＫＳが形成されると、次のステップＳＰ１４へ移る。
【０２２２】
ステップＳＰ１４において、一体化ディスク１１０Ｇから初期化用基準盤２２０を除去することにより、サーボ情報マークＫＳの形成された光ディスク１１０が分離されると、終了ステップへ移って初期化処理を終了する。
【０２２３】
（２−６）動作及び効果
以上の構成において、初期化装置１Ｘに装填される未初期化光ディスク１１０Ｘは、初期化用基準盤２２０と重ね合わされた状態で未初期化光ディスク１１０Ｘよりも大きい第１の板状部材であるターンテーブル１１及び第２の板状部材である固定テーブル１３間に挟み込まれる。さらに未初期化光ディスク１１０Ｘは、長ねじ１５Ａ及びナット１５Ｂが締め付けられることによりターンテーブル１１及び固定テーブル１３が互いに近接される方向に加圧されることにより初期化用基準盤２２０が一時的に固定される。
【０２２４】
これにより初期化装置１Ｘは、未初期化光ディスク１１０Ｘは、厚さがほぼ均一でなるターンテーブル１１を介してサーボ光ビームＬＳ及び情報光ビームＬＩを照射することができ、トラッキング方向及び当該トラッキング方向に垂直なタンジェンシャル方向においてほぼ均一な球面収差を発生させ得、均一なサイズでなるサーボ情報マークＫＳを形成し得る。
【０２２５】
また初期化装置１Ｘは、未初期化光ディスク１１０Ｘ及び初期化用基準盤２２０を大きな面積を用いて加圧する。このため初期化装置１Ｘは、例えばコの字型の治具を用いて未初期化光ディスク１１０Ｘ及び初期化用基準盤２２０を直接的に固定する場合と比較して、局所的に大きな圧力がかかることを防止することができ、未初期化光ディスク１１０Ｘ及び初期化用基準盤２００に傷を付けにくくできる。
【０２２６】
また初期化装置１Ｘは、未初期化光ディスク１１０Ｘ及び初期化用基準２２０を載置するターンテーブル１１を有し、当該ターンテーブル１１に対して未初期化光ディスク１１０Ｘ及び初期化用基準盤２２０を固定させる。
【０２２７】
これにより初期化装置１Ｘは、未初期化光ディスク１１０に対して初期化用基準盤２２０を固定して一体化ディスク１１０Ｇを作製するのと同時に当該初期化装置１Ｘに当該一体化ディスク１１０Ｇを装填させ得る。
【０２２８】
さらに初期化装置１Ｘは、未初期化光ディスク１１０Ｘよりも大きなサイズを有するターンテーブル１１と、未初期化光ディスク１１０Ｘよりも大きなサイズを有する固定テーブル１３とによって当該未初期化光ディスク１１０Ｘ及び初期化用基準盤２２０を挟み込む。さらに初期化装置１Ｘは、ターンテーブル１１及び固定テーブル１３を互いに近接させる方向に加圧することにより、当該ターンテーブル１１に対して未初期化光ディスク１１０Ｘ及び初期化用基準盤２２０を固定させる。
【０２２９】
これにより初期化装置１Ｘは、未初期化光ディスク１１０Ｘ及び初期化用基準盤２００に傷を付けることなく、かつ簡易な作業で初期化装置１Ｘに一体化ディスク１１０Ｇを作製及び装填させることができる。
【０２３０】
また初期化装置１Ｘにおけるターンテーブル１１は、未初期化光ディスク１１０Ｘ及び初期化用基準盤２２０の中央に形成された孔部１１０Ｈ及び２２０Ｈに挿入される位置合わせ用の突起である位置合わせ円柱１２を有している。
【０２３１】
これにより初期化装置１Ｘは、位置合わせ円柱１２に対して孔部１１０Ｈ及び２２０Ｈを挿入させるだけの簡易な作業で未初期化光ディスク１１０Ｘにおいてサーボマーク領域Ａｓに対応するリードインエリアＲＡと初期化用基準盤２２０におけるサーボ領域２２０Ｓとを重ね合わせるよう位置合わせさせることができる。
【０２３２】
以上の構成によれば、一体化ディスク１１０Ｇを回転させるスピンドルモータ５に連接されたターンテーブル１１に対して一体化ディスク１１０Ｇを固定する。これにより初期化装置１Ｘは、対物レンズ４０からの距離が常に一定の状態で一体化ディスク１１０を初期化装置１Ｘに装填させることができ、高い精度で未初期化光ディスク１１０Ｘにサーボ情報マークＫＳを形成し得る。
【０２３３】
（２−７）他の実施の形態
なお上述した第２の実施の形態においては、ターンテーブル１１及び固定テーブル１３によって未初期化光ディスク１１０Ｘ及び初期化用基準盤２２０を挟み込むようにした場合について述べたが、本発明はこれに限られるものではない。例えば互いに重ね合わされた未初期化光ディスク１１０Ｘ及び初期化用基準盤２２０の外側から内側に向けてクリップなどの治具により加圧することにより未初期化光ディスク１１０Ｘ及び初期化用基準盤２２０を固定して一体化ディスク１１０Ｇを作製しても良い。この場合、例えばチャッキングによって当該一体化ディスク１１０Ｇを装填させることができる。
【０２３４】
また上述した第２の実施の形態においては、一体化ディスク１１０Ｇをターンテーブル１１に固定するようにした場合について述べたが、本発明はこれに限られるものではない。例えばターンテーブルに基準部２２１を設け、当該ターンテーブルに未初期化光ディスク１１０Ｘを固定することにより一体化ディスクを形成しても良い。
【０２３５】
さらに上述した第２の実施の形態においては、ターンテーブル１１と固定テーブル１３とを長ねじ１５Ａ及びナット１５Ｂで固定するようにした場合について述べたが、本発明はこれに限られるものではない。例えばターンテーブル１１と固定テーブル１３の外周側からコの字型の治具を嵌め込んだり、クリップを用いることもできる。また固定箇所は少なくとも２カ所以上固定されれば良く、４カ所でなくても良い。この固定箇所はほぼ等間隔で設けられることが望ましいが、これに限られるものではない。
【０２３６】
さらに上述した第２の実施の形態においては、ターンテーブル１１が円盤状でなるようにした場合について述べたが、本発明はこれに限られるものではない。ターンテーブルは、厚さがほぼ均一な板状部材であれば良く、例えば矩形や正方形、多角形状を有していても良い。また固定テーブル１３についても同様であり、様々な形状を有していても良い。なお固定テーブル１３については、情報光ビームＬＩ及びサーボ光ビームＬＳが照射されることがないため、必ずしもその厚さが均一である必要はない。
【０２３７】
さらに上述した第２の実施の形態においては、リードエリアＲＡに対応する部分にのみ基準部２２１が形成されるようにした場合について述べたが、本発明はこれに限らず、例えば初期化用基準盤２２０の全面に設けるようにしてもよい。これにより、第１の実施の形態の未初期化光ディスク１００Ｘと第２の実施の形態の未初期化光ディスク１００Ｘのようにタイプの異なるディスク間で初期化用基準盤２２０を共用することが可能となる。
【０２３８】
さらに上述した第１及び第２の実施の形態においては、種々の構成が異なっているが、これらの構成を適宜組み合わせることができることは、言うまでもない。
【産業上の利用可能性】
【０２３９】
本発明は、映像や音声、或いはコンピュータ用のデータ等の情報を光ディスクに記録し、また当該光ディスクから当該情報を再生する光ディスク装置でも利用できる。
【図面の簡単な説明】
【０２４０】
【図１】従来の光ディスクにおける記録層の構成を示す略線的断面図である。
【図２】第１の実施の形態による光ディスクの構成（１）を示す略線図である。
【図３】第１の実施の形態による光ディスクの構成（２）を示す略線図である。
【図４】記録マークの生成の説明に供する略線図である。
【図５】第１の実施の形態によるサーボマーク領域の構成と配置を示す略線図である。
【図６】サーボマーク領域の配置を示す略線的断面図である。
【図７】情報の記録の説明に供する略線図である。
【図８】サーボ情報マークの記録原理の説明に供する略線図である。
【図９】初期化用基準盤の構成（１）を示す略線図である。
【図１０】初期化用基準盤の構成（２）を示す略線図である。
【図１１】粘着シートの貼り合わせの説明に供する略線図である。
【図１２】光ディスクと初期化用基準盤との貼り合わせの説明に供する略線図である。
【図１３】一体化ディスクの構成を示す略線図である。
【図１４】第１の実施の形態による一体化ディスクに対する光ビームの照射の説明に供する略線図である。
【図１５】初期化装置の構成を示す略線図である。
【図１６】一体化ディスクの装填の説明に供する略線図である。
【図１７】光ピックアップの構成を示す略線図である。
【図１８】サーボ光ビームの光路の説明に供する略線図である。
【図１９】フォトディテクタにおける検出領域の構成を示す略線図である。
【図２０】情報光ビームの光路の説明に供する略線図である。
【図２１】第１の実施の形態による初期化処理の手順の説明に供するフローチャートである。
【図２２】第２の実施の形態による光ビームの集光の説明に供する略線図である。
【図２３】第２の実施の形態による目標マーク層への光ビームの照射の説明に供する略線図である。
【図２４】第２の実施の形態による初期化用基準盤の構成（１）を示す略線図である。
【図２５】第２の実施の形態による位置合わせの説明に供する略線図である。
【図２６】第２の実施の形態による一体化ディスクの作製の説明に供する略線図である。
【図２７】第２の実施の形態による一体化ディスクに対する光ビームの照射の説明に供する略線図である。
【図２８】第２の実施の形態による初期化処理の手順の説明に供するフローチャートである。
【符号の説明】
【０２４１】
１……光ディスク装置、２……制御部、３……駆動制御部、４……信号処理部、５……スピンドルモータ、５Ａ……モータ軸、７、８……押付部材、１０……光ピックアップ、１１……ターンテーブル、１２……位置合わせ棒、１３……固定テーブル、１５Ａ……長ねじ、１５Ｂ……ナット、３０……サーボ光学系、３１、５１……レーザダイオード、３４、５４……偏光ビームスプリッタ、３７……ダイクロイックプリズム、３６、５７……１／４波長板、４０……対物レンズ、４０Ａ……２軸アクチュエータ、４３……フォトディテクタ、５０……情報光学系、１００、１１０……光ディスク、１００Ｇ、１１０Ｇ……一体化ディスク、１００Ｘ、１１０Ｘ……未初期化光ディスク、１０１、１１１……記録層、１０２、１０３、１１２、１１３、２０２、２０３、２２２、２２３……基板、２０１、２２１……基準部、１００Ｗ……記録領域、２００Ｓ、２２０Ｓ……サーボ領域、ＲＡ……リードインエリア、Ａｓ……サーボマーク領域Ａｓ……記録マーク領域、ＬＢ……光ビーム、ＬＢＲ……反射光ビーム、ＬＩ……情報光ビーム、ＬＳ……サーボ光ビーム、ＬＳｒ……サーボ反射光ビーム、ＦＢ……焦点、ＲＭ……記録マーク、Ｙ……マーク記録層ＹＧ……目標マーク層、ＴＲ……トラック、ＴＧ……目標トラック、ＫＳ……サーボ情報マーク。
【図１】
0004538761.tif 000004
【図２】
0004538761.tif 000005
【図３】
0004538761.tif 000006
【図４】
0004538761.tif 000007
【図５】
0004538761.tif 000008
【図６】
0004538761.tif 000009
【図７】
0004538761.tif 000010
【図８】
0004538761.tif 000011
【図９】
0004538761.tif 000012
【図１０】
0004538761.tif 000013
【図１１】
0004538761.tif 000014
【図１２】
0004538761.tif 000015
【図１３】
0004538761.tif 000016
【図１４】
0004538761.tif 000017
【図１５】
0004538761.tif 000018
【図１６】
0004538761.tif 000019
【図１７】
0004538761.tif 000020
【図１８】
0004538761.tif 000021
【図１９】
0004538761.tif 000022
【図２０】
0004538761.tif 000023
【図２１】
0004538761.tif 000024
【図２２】
0004538761.tif 000025
【図２３】
0004538761.tif 000026
【図２４】
0004538761.tif 000027
【図２５】
0004538761.tif 000028
【図２６】
0004538761.tif 000029
【図２７】
0004538761.tif 000030
【図２８】
0004538761.tif 000031